(57)【要約】【課題】  光ファイバテープ心線の端末処理において、被覆屑と裸光ファイバ屑を一体で処理する場合に、被覆屑に光ファイバテープ心線の長手方向へテンションを付加することによりその切断性能の向上を図るようにする。【解決手段】  先端部の被覆屑１Ｃを残して被覆部１Ａを除去して所定長さの裸光ファイバ１Ｂの切断部を剥き出しにした多心の光ファイバテープ心線１の被覆部１Ａをファイバホルダ３でクランプし、前記被覆屑１Ｂに多心の光ファイバテープ心線１の軸方向へ一定のテンションをかけて前記切断部の裸光ファイバ１Ｂに生じているタルミを除去した状態で前記裸光ファイバ１Ｂの切断部の両端をクランプし、ついで、切断刃１７を移動させて前記各裸光ファイバ１Ｂの切断部に加傷を与えた後、この加傷の切断個所近傍に曲げ方向の力を与えて各裸光ファイバ１Ｂを切断することを特徴とする。【選択図】図１
2005351943.tif 000002
【特許請求の範囲】
【請求項１】
先端部の被覆屑を残して被覆部を除去して所定長さの裸光ファイバの切断部を剥き出しにした多心の光ファイバテープ心線の被覆部をファイバホルダでクランプし、前記被覆屑に多心の光ファイバテープ心線の軸方向へ一定のテンションをかけて前記切断部の裸光ファイバに生じているタルミを除去した状態で前記裸光ファイバの切断部の両端をクランプし、ついで、切断刃を移動させて前記各裸光ファイバの切断部に加傷を与えた後、この加傷の切断個所近傍に曲げ方向の力を与えて各裸光ファイバを切断することを特徴とする光ファイバテープ心線の端末処理方法。
【請求項２】
前記被覆屑を一対の回転可能な円筒状のローラからなるクランプでクランプし、このクランプを回転させて、前記被覆屑に多心の光ファイバテープ心線の軸方向へ一定のテンションをかけることを特徴とする請求項１記載の光ファイバテープ心線の端末処理方法。
【請求項３】
先端部の被覆屑を残して被覆部を除去して所定長さの裸光ファイバの切断部を剥き出しにした多心の光ファイバテープ心線の被覆部をクランプするファイバホルダと、
前記被覆屑をクランプして多心の光ファイバテープ心線の軸方向へ一定のテンションをかけるテンション手段と、
前記所定長さの裸光ファイバの切断部の両端をクランプするクランプと、
前記各裸光ファイバの切断部に加傷を与える移動可能な切断刃と、
この切断刃で加傷を与えた切断個所近傍に曲げ方向の力を与えて各裸光ファイバを切断する曲げ応力付加手段と、
で構成されていることを特徴とする光ファイバテープ心線の端末処理装置。
【請求項４】
前記テンション手段が、前記被覆屑をクランプした状態でテンションを与える一対の回転可能な円筒状のローラからなることを特徴とする請求項３記載の光ファイバテープ心線の端末処理装置。
【発明の詳細な説明】
【技術分野】
【０００１】
この発明は、光ファイバテープ心線の端末を処理する光ファイバテープ心線の端末処理方法およびその装置に関する。
【背景技術】
【０００２】
現在、一般的に使用されている光ファイバ切断機としては、図４（Ａ）、（Ｂ）、（Ｃ）に示されているように、例えば８心の光ファイバテープ心線１０１の被覆部１０１Ａをクランプする上、下部光ファイバホルダ１０３Ｕ、１０３Ｄからなる光ファイバホルダ１０３が備えられていると共に、光ファイバテープ心線１０１の被覆部１０１Ａを除去した裸光ファイバ１０１Ｂの切断箇所の両側をクランプする上、下部クランプ１０５Ｕ、１０５Ｄを備えた左側のクランプ１０５と上、下部クランプ１０７Ｕ、１０７Ｄを備えた右側のクランプ１０７を備えている。そして、前記左側のクランプ１０５の上、下部クランプ１０５Ｕ、１０５Ｄおよび右側のクランプ１０７の上、下部クランプ１０７Ｕ、１０７Ｄには図４（Ｃ）によく示されているように、裸光ファイバ１０１Ｂを導き案内する溝としての例えばＶ溝１０９が形成されている。
【０００３】
また、図４（Ａ）、（Ｂ）、（Ｄ）に示されているように、前記左側のクランプ１０５と右側のクランプ１０７との間における裸光ファイバ１０１Ｂの切断箇所の下部には裸光ファイバ１０１Ｂに傷を与える例えば断面が円形状の切断刃１１１が図４（Ｂ）において紙面に対して直交する方向、図４（Ｄ）において左右方向へ移動自在に設けられている。さらに、前記裸光ファイバ１０１Ｂの切断箇所の近傍における上部には裸光ファイバ１０１Ｂに曲げ方向の力を加えるマクラと呼ばれている曲げ応力付加手段１１３が上下動自在に設けられている。この曲げ応力付加手段１１３の下部には前記各裸光ファイバ１０１Ｂが入り込む溝１１５が形成されている。
【０００４】
上記構成により、まず図４（Ａ）、（Ｂ）、（Ｃ）において、８心の光ファイバテープ心線１０１の被覆部１０１Ａを上、下部光ファイバホルダ１０３Ｕ、１０３Ｄからなる光ファイバホルダ１０３でクランプし、光ファイバテープ心線１０１の被覆部１０１Ａを除去した裸光ファイバ１０１Ｂの両側を、上、下部クランプ１０５Ｕ、１０５Ｄを備えた左側のクランプ１０５と上、下部クランプ１０７Ｕ、１０７Ｄを備えた右側のクランプ１０７とでクランプする。ついで、例えば断面が円形状の切断刃１１１を図４（Ｄ）に示されているように、左側から右側へ移動させて各裸光ファイバ１０１Ｂに傷をつける。その後、図５（Ａ）、（Ｂ）に示されているように、切断箇所近傍に曲げ応力付加手段１１３を矢印で示したごとく下方へ移動させることで曲げ方向の力を加えて裸光ファイバ１０１Ｂが切断される。
【０００５】
図６（Ａ）、（Ｂ）、（Ｃ）および（Ｄ）には上述した例とは別の光ファイバテープ心線１０１の端末処理方法が示されている。図６（Ａ）、（Ｂ）、（Ｃ）および（Ｄ）において、上述した例の部品と同一の部品には同じ符号を付して重複する説明を省略する。
【０００６】
上記構成により、まず、８心の光ファイバテープ心線１０１の被覆部１０１Ａから被覆部１０１Ａを除去する際に、被覆屑１０１Ｃを裸光ファイバ１０１Ｂの先端部に残す。この状態で図６（Ａ）、（Ｂ）に示されているように、８心の光ファイバテープ心線１０１の被覆部１０１Ａを上、下部光ファイバホルダ１０３Ｕ、１０３Ｄからなる光ファイバホルダ１０３でクランプし、光ファイバテープ心線１０１の被覆部１０１Ａを除去した裸光ファイバ１０１Ｂの両側を、上、下部クランプ１０５Ｕ、１０５Ｄを備えた左側のクランプ１０５と上、下部クランプ１０７Ｕ、１０７Ｄを備えた右側のクランプ１０７とでクランプする。ついで、図６（Ｃ）において、例えば断面が円形状の切断刃１１１を左側から右側へ移動させて各裸光ファイバ１０１Ｂに傷をつける。その後、切断箇所近傍に曲げ応力付加手段１１３を下方へ移動させることで曲げ方向の力を加えて裸光ファイバ１０１Ｂが切断される。その結果、図６（Ｄ）に示されているように、裸光ファイバ屑１０１Ｄと被覆屑１０１Ｃとが一体となって屑となって取り扱うようになっている。
【特許文献１】特開平７−８０７９８号公報
【特許文献２】実開平４−１１２２０３号公報
【発明の開示】
【発明が解決しようとする課題】
【０００７】
ところで、上述した従来技術のうち、前者の光ファイバテープ心線１０１の端末処理方法では、光ファイバテープ心線１０１の先端部数十ｍｍを被覆除去工具等で取り除き、裸光ファイバ１０１Ｂ部を清掃後、切断刃１１１で傷を与えた後、切断箇所近傍に曲げ応力付加手段１１３を下方へ移動させることで曲げ方向の力を加えて裸光ファイバ１０１Ｂが切断されるが、切断後の裸光ファイバ１０１Ｂの屑がバラバラになり、この屑の処理が非常に困難であった。
【０００８】
また、上述した従来技術のうち、後者の光ファイバテープ心線１０１の端末処理方法では、上記裸光ファイバ屑の処理を容易にするため、被覆除去の際、裸光ファイバ屑を完全に取り除かず、裸光ファイバ１０１Ｂの先端部に残すことにより、切断後の被覆屑および裸光ファイバ屑を一体化としている。
【０００９】
しかしながら、この方法の問題点としては、光ファイバテープ心線１０１の被覆を除去する際、各心線ごとの被覆除去部の長さに差が出てしまい、たるみを持ったファイバ心線が発生してしまう。このたるみを持ったファイバ心線は、切断部の両側をクランプ１０５、１０７でクランプし、切断部に切断刃１１１で加傷した後に、曲げ応力付加手段１１３で曲げ応力を加え切断する方式の光ファイバ切断機で切断する際、切断刃１１１で加傷する量が少なく、または加傷できなくなり、切断できない、もしくは切断した断面が悪くなってしまうという問題があった。
【００１０】
この発明は上述の課題を解決するためになされたものである。
【課題を解決するための手段】
【００１１】
上記発明が解決しようとする課題を達成するためにこの発明の光ファイバテープ心線の端末処理方法は、先端部の被覆屑を残して被覆部を除去して所定長さの裸光ファイバの切断部を剥き出しにした多心の光ファイバテープ心線の被覆部をファイバホルダでクランプし、前記被覆屑に多心の光ファイバテープ心線の軸方向へ一定のテンションをかけて前記切断部の裸光ファイバに生じているタルミを除去した状態で前記裸光ファイバの切断部の両端をクランプし、ついで、切断刃を移動させて前記各裸光ファイバの切断部に加傷を与えた後、この加傷の切断個所近傍に曲げ方向の力を与えて各裸光ファイバを切断することを特徴とするものである。
【００１２】
この発明の光ファイバテープ心線の端末処理方法は、前記光ファイバテープ心線の端末処理方法において、前記被覆屑を一対の回転可能な円筒状のローラからなるクランプでクランプし、このクランプを回転させて、前記被覆屑に多心の光ファイバテープ心線の軸方向へ一定のテンションをかけることが好ましい。
【００１３】
この発明の光ファイバテープ心線の端末処理装置は、先端部の被覆屑を残して被覆部を除去して所定長さの裸光ファイバの切断部を剥き出しにした多心の光ファイバテープ心線の被覆部をクランプするファイバホルダと、前記被覆屑をクランプして多心の光ファイバテープ心線の軸方向へ一定のテンションをかけるテンション手段と、前記所定長さの裸光ファイバの切断部の両端をクランプするクランプと、前記各裸光ファイバの切断部に加傷を与える移動可能な切断刃と、この切断刃で加傷を与えた切断個所近傍に曲げ方向の力を与えて各裸光ファイバを切断する曲げ応力付加手段と、で構成されていることを特徴とするものである。
【００１４】
この発明の光ファイバテープ心線の端末処理装置は、前記光ファイバテープ心線の端末処理装置において、前記テンション手段が、前記被覆屑をクランプした状態でテンションを与える一対の回転可能な円筒状のローラからなることが好ましい。
【発明の効果】
【００１５】
以上のごとき課題を解決するための手段の説明から理解されるように、この発明によれば、光ファイバテープ心線の端末処理において、被覆屑と裸光ファイバ屑を一体で処理する場合に、被覆屑に光ファイバテープ心線の長手方向へテンションを付加することによりその切断性能の向上を図ることができる。
【００１６】
被覆屑に光ファイバテープ心線の長手方向へテンションを付加する手段として、一対の回転可能な円筒状のローラを採用することにより、省スペース化を図ることができる。
【発明を実施するための最良の形態】
【００１７】
以下、この発明の実施の形態について図面を参照して詳細に説明する。
【００１８】
図１（Ａ）、（Ｂ）、（Ｃ）および（Ｄ）を参照するに、例えば８心の光ファイバテープ心線１の被覆部１Ａをクランプする上、下部光ファイバホルダ３Ｕ、３Ｄからなる光ファイバホルダ３が備えられていると共に、光ファイバテープ心線１の被覆部１Ａを除去した裸光ファイバ１Ｂの切断箇所の両側をクランプする上、下部クランプ５Ｕ、５Ｄを備えた左側のクランプ５と上、下部クランプ７Ｕ、７Ｄを備えた右側のクランプ７を備えている。そして、前記光ファイバホルダ３の上、下部光ファイバホルダ３Ｕ、３Ｄ、左側のクランプ５の上、下部クランプ５Ｕ、５Ｄおよび右側のクランプ７の上、下部クランプ７Ｕ、７Ｄのそれぞれの相対向した内側には図１（Ｂ）によく示されているように、被覆部１Ａ、裸光ファイバ１０１Ｂに傷を付けないように例えばゴム９、１１、１３が設けられている。さらに、前記裸光ファイバ１０１Ｂの先端部図１（Ａ）、（Ｂ）の右側には被覆屑１Ｃが残され、この被覆屑１Ｃをクランプして多心の光ファイバテープ心線の軸方向へ一定のテンションをかけるテンション手段としての例えば一対の回転可能な円筒状のローラ１５Ｕ、１５Ｄが設けられている。
【００１９】
また、図１（Ｃ）、（Ｄ）に示されているように、前記左側のクランプ５と右側のクランプ７との間における裸光ファイバ１Ｂの切断箇所の下部には裸光ファイバ１Ｂに傷を与える例えば断面が円形状の切断刃１７が図１（Ｂ）において紙面に対して直交する方向、図１（Ｃ）において左右方向へ移動自在に設けられている。さらに、前記裸光ファイバ１Ｂの切断箇所の近傍における上部には裸光ファイバ１Ｂに曲げ方向の力を加えるマクラと呼ばれている曲げ応力付加手段１９が上下動自在に設けられている。この曲げ応力付加手段１９の下部には前記各裸光ファイバ１Ｂが入り込む溝２１が形成されている。
【００２０】
上記構成により、先端部の被覆屑１Ｃを残して被覆部１Ａを除去して所定長さの裸光ファイバ１Ｂの切断部を剥き出しにした多心の光ファイバテープ心線１の被覆部１Ａを、図１（Ａ）、（Ｂ）に示されたいるように、ファイバホルダ３の上、下部ファイバホルダ３Ｕ、３Ｄでクランプし、前記被覆屑１Ｃに多心の光ファイバテープ心線１の軸方向へ前記一対の回転可能な円筒状のローラ１５Ｕ、１５Ｄを図１（Ｂ）の示した矢印のごとく回転させることで一定のテンションをかける。この状態で、前記切断部の裸光ファイバ１Ｂに生じているタルミを除去した状態で前記裸光ファイバ１Ｂの切断部の両端を左側のクランプ５の上、下部クランプ５Ｕ、５Ｄおよび右側のクランプ７の上、下部クランプ７Ｕ、７Ｄでクランプし、ついで、切断刃１７を図１（Ｃ）に示されているように、移動させて前記各裸光ファイバ１Ｂの切断部に加傷を与えた後、この加傷の切断個所近傍に図１（Ｃ）に示した矢印のごとく曲げ応力付加手段１９を上方から下方へ移動せしめることで曲げ方向の力を与えて各裸光ファイバ１Ｂが切断されることになる。
【００２１】
その結果、光ファイバテープ心線１の端末処理において、被覆屑１Ｃと裸光ファイバ屑１Ｄを一体で処理することができる。しかも、被覆屑１Ｃと裸光ファイバ屑１Ｄを一体で処理する場合に、被覆屑１Ｃに光ファイバテープ心線１の長手方向へテンションを付加することによりその切断性能の向上を図ることができる。
【００２２】
被覆屑１Ｃに光ファイバテープ心線１の長手方向へテンションを付加する手段として、一対の回転可能な円筒状のローラ１５Ｕ、１５Ｄのクランプを採用することにより、省スペース化を図ることができる。
【００２３】
図２には前記一対の回転可能な円筒状のローラ１５Ｕ、１５Ｄを回転させる一例の駆動装置２３が示されている。図２において、ローラ１５Ｕ、１５Ｄのそれぞれの一端側の軸２５、２７にはギヤ２９、３１が設けられていると共にギヤ２９とギヤ３１とが歯合されている。また、前記ギヤ３１には別のギヤ３３が歯合されている。このギヤ３３の軸３５には駆動モータ３７が連結されている。
【００２４】
上記構成により、駆動モータ３７を駆動せしめると、軸３５を介してギヤ３３が回転されることにより、ギヤ３１、２９も回転され、軸２７、２５を介して円筒状のローラ１５Ｕ、１５Ｄが回転されることになる。
【００２５】
図３には前記一対の回転可能な円筒状のローラ１５Ｕ、１５Ｄを開閉させる一例が示されている。図３において、ローラ１５Ｕ、１５Ｄの両側端の軸２５、２７にはプレート３９Ｌ、３９Ｒ、４１Ｌ、４１Ｒの一端が装着されていると共にプレート３９Ｌの他端とプレート４１Ｌの他端、プレート３９Ｒの他端とプレート４１Ｒの他端がシャフト４３の両側に装着されている。しかも、プレート３９Ｌとプレート４１Ｌとの間、プレート３９Ｒとプレート４１Ｒとの間には例えばスプリング４５Ｌ、４５Ｒが介在されており、このスプリング４５Ｌ、４５Ｒでローラ１５Ｕとローラ１５Ｄは常時当接された状態すなわち閉じた状態にある。したがって、ローラ１５Ｕとローラ１５Ｄとを開かせる場合には、例えば手でもってローラ１５Ｕを上方へ持ち上げることで開かせることができる。
【００２６】
なお、この発明は前述した実施の形態に限定されることなく、適宜な変更を行うことによりその他の態様で実施し得るものである。本実施の形態では、被覆屑１Ｃに一定のテンションをかける例として一対の回転可能な円筒状のローラ１５Ｕ、１５Ｄを用いた例で説明したが、ソレノイドなどその他の機構で一定のテンションをかけるようにしても構わない。
【図面の簡単な説明】
【００２７】
【図１】（Ａ）はこの発明の光ファイバテープ心線の端末処理装置の平面図、（Ｂ）は（Ａ）の正面図、（Ｃ）は切断刃と曲げ応力付加手段の部分を拡大した側面図、（Ｅ）は裸光ファイバ屑と被覆屑を表した平面図である。
【図２】図１（Ｂ）における一対の回転ローラを回転せしめる駆動装置の一例を示した側面図である。
【図３】図１（Ｂ）における一対の回転ローラを開閉せしめる開閉装置の一例を示した斜視図である。
【図４】（Ａ）は従来の光ファイバテープ心線の端末処理装置の平面図、（Ｂ）は（Ａ）の正面図、（Ｃ）は（Ｂ）の側面図、（Ｄ）は切断刃と曲げ応力付加手段の部分を拡大した側面図である。
【図５】（Ａ）、（Ｂ）は、切断刃と曲げ応力付加手段の動作説明図である。
【図６】（Ａ）は従来の別の光ファイバテープ心線の端末処理装置の平面図、（Ｂ）は（Ａ）の正面図、（Ｃ）は（Ｂ）の側面図、（Ｄ）は裸光ファイバ屑と被覆屑を表した平面図である。
【符号の説明】
【００２８】
１  光ファイバテープ心線
１Ａ  被覆部
１Ｂ  裸光ファイバ
１Ｃ  被覆屑
１Ｄ  裸光ファイバ屑
３  光ファイバホルダ
３Ｕ  上部光ファイバホルダ
３Ｄ  下部光ファイバホルダ
５、７  クランプ
５Ｕ、７Ｕ  上部クランプ
５Ｄ、７Ｄ  下部クランプ
９、１１、１３  ゴム
１５Ｕ、１５Ｄ  ローラ（テンション手段）
１７  切断刃
１９  曲げ応力付与手段
２１  溝
２３  駆動装置
２５、２７  軸
２９、３１、３３  ギヤ
３５  軸
３７  駆動モータ
３９Ｌ、３９Ｒ  プレート
４１Ｌ、４１Ｒ  プレート
４３  シャフト
４５Ｌ、４５Ｒ  スプリング
【図１】
2005351943.tif 000003
【図２】
2005351943.tif 000004
【図３】
2005351943.tif 000005
【図４】
2005351943.tif 000006
【図５】
2005351943.tif 000007
【図６】
2005351943.tif 000008